(57)【要約】【要約書】【課題】  ログ材と柱との間に生じた隙間や上下方向に積み重ねたログ材の隙間から雨風が吹き込む等の問題、風雨や雨水により生じたログの劣化や収縮に伴う緊結ボルト等の緊結が緩くなる問題を解決可能とする。【解決手段】  複数の柱、コーナー柱の間に複数のログからなるパネルを差込み、壁面を形成するログハウスで使用する建築部材において、間仕切用のパネルとなる各ログの切欠溝に埋込座ナットを埋設する窪みを有し、前記窪みに隣接し外壁用のパネルとなる各ログから横通しボルトを貫通できる貫通孔を複数設けた柱と、前記各パネルを構成するログの内部に、前記柱を介して横通しボルトを貫通できるナット締付孔を設けたことを特徴とするログハウス用ログ、柱を提供することを目的とする。 【選択図】  図１
2006132106.tif 000002
【特許請求の範囲】
【請求項１】
複数の柱、コーナー柱の間に複数のログからなるパネルを差込み、壁面を形成するログハウスで使用する建築部材において、間仕切用のパネルとなる各ログの切欠溝に埋込座ナットを埋設する窪みを有し、前記窪みに隣接し外壁用のパネルとなる各ログから横通しボルトを貫通できる貫通孔を複数設けた柱と、前記各パネルを構成するログの内部に前記柱を介して横通しボルトを貫通できるナット締付孔を設けたログとからなることを特徴とするログハウス用ログ、柱。
【請求項２】
上面に略凸状の２重のサネを設け、下面に前記サネを受けるための凹状態のサネ溝を設け、前記サネからサネ溝にかけて階段状に設けた雨水受と、水切突起を設けていることを特徴とする請求項１項に記載のログハウス用ログ。
【請求項３】
前記ナット締付孔全体を覆い隠すようログの垂直方向にかけて、木工用ボンド等で貼付できる貼付板を備えたことを特徴とする請求項１項又は、請求項２項に記載のログハウス用ログ。
【発明の詳細な説明】
【技術分野】
【０００１】
本発明は、ログハウスの壁面を構成するログ及び、柱に関する改良発明である。
【背景技術】
【０００２】
従来、ログハウスを建築はその壁材として、長尺の角ログや丸ログを使用し、各形状のログを交互に積み重ね、住宅の四隅を形成するコーナー部分で交互に交わるようにすることで柱等を使用することなく壁面を形成していた。
【０００３】
また前記ログハウスの壁面は、予め施工現場でログを１本づつ積み上げ１枚のパネル状の壁面を形成すると共に、前記パネルの上部にある挿通孔に対し、垂直方向に通しボルトを通すことで各ログの緊結を行っている。なお１段目のログは、コーチボルト等により土台に緊結していた。
【０００４】
また従来の発明である「ログハウス用ログ壁の組み上げ方法及びログ緊結用ボルト」において、土台に１段目のログ材をコーチボルトで固着し、その上に２段目以降のログ材を載置し緊結ボルトで緊結してログ壁を組み上げる方法において、コーチボルト並びに緊結ボルトは一本のログ材の高さに相応する長さを有し下端にネジ若しくは木ネジを有するボルト部と、該ボルト部の上端に一体化されたネジ孔を有するナット部並びにボルト部とナット部の間に一体化された受け座金とを有し、ログ材に穿孔されたボルト挿入孔に緊結ボルト若しくはコーチボルトを挿入し、下段のナット部ネジ孔に上段のボルト部のネジを螺合してボルトを互いに連結しつつ上段のログ材を下段のボルトの受け座金で支持し、下段のログ材を受け座金で締め付けて組み上げるようにしたことを特徴とするログハウス用ログ壁の組み上げ方法であった。
【０００５】
しかしながら、ログハウス用のログは長尺のログを多く使用するため、熟練した技術を持つ職人によって交互に積み重ねていかなければ、強固な壁面を形成することができず、また柱を使用しないため、ログとログの交差する接合部分では隙間等を生じやすく、ログ自体が乾燥度が高く収縮し易いため、特にログの上下面のみならず前記ログの左右側面又はログと柱との間に隙間を生じ、その隙間から雨風が吹き込む等の問題を生じていた。
【０００６】
また従来の発明である「ログハウス用ログ壁の組み上げ方法及びログ緊結用ボルト」は、
ログ同士を垂直方向に重ね、複数の緊結ボルトで連結しているため、ログの締め付けが弱い場合には緊結ボルトが外れる場合もあり、かつ、風雨や雨水でログ自体が劣化することでログ同士の緊結していた通しボルトの緊結が緩くなるという問題も生じていた。
【特許文献１】特開平９−２０９４７８号公報
【発明の開示】
【発明が解決しようとする課題】
【０００７】
解決しようとする問題点は、ログ材とログ材又は、ログ材と柱との間に生じた隙間や上下左右方向に積み重ねたログ材の隙間から雨風が吹き込む等の問題、風雨や雨水により生じたログの劣化や収縮に伴う緊結ボルト等の緊結が緩くなる問題を解決することを目的とする。
【課題を解決するための手段】
【０００８】
本発明は、複数の柱、コーナー柱の間に複数のログからなるパネルを差込み、壁面を形成するログハウスで使用する建築部材において、間仕切用のパネルとなる各ログの切欠溝に埋込座ナットを埋設する窪みを有し、前記窪みに隣接し外壁用のパネルとなる各ログから横通しボルトを貫通できる貫通孔を複数設けた柱と、前記各パネルを構成するログの内部に、前記柱を介して横通しボルトを貫通できるナット締付孔を設けたログとからなることを特徴とするログハウス用ログ、柱とした。
【発明の効果】
【０００９】
第１に本発明であるログハウス用ログ、柱及びその組立方法は、ログと柱との間に縦通しボルト、横通しボルトのそれぞれを挿通し、各ボルト毎に緊結を行うため、各ログ、柱との連結部分にあった隙間をなくすことができる。
【００１０】
第２に本発明であるログハウス用ログ、柱及びその組立方法は、積み重ねたログの間、若しくはログと柱との間に雨風が吹き込む等の問題も各ログを重ね併せるシーリング面にコーキング材等を施すことができるため、よりログの強度が増し、木造建築に用いる筋交い以上の強度を有したログハウスを提供することができる。
【００１１】
第３に本発明を構成するログはサネからサネ溝にかけて半円状で且つ階段状に設けた雨水受、水切突起を設け、かつ、ログの内部に対し、予め防腐剤、防蟻剤を浸漬処理しているため、風雨や雨水により生じるログの劣化や収縮を大幅に防止することができる。
【００１２】
第４に本発明であるログハウス用ログ、柱及びその組立方法で、防腐処理が施された複数のログ等からなるパネルを柱と柱の間に差し込み、前記パネルの水平方向に対し横通しボルト及び、前記パネルの垂直方向に対しパネル上面及び下面と接合する桁から土台まで縦通しボルトを挿通しボルトを通し各々のボルトをナット等で締めつければよいため、極めて短時間にログハウスを組み立てることができる。
【発明を実施するための最良の形態】
【００１３】
複数の柱３、コーナー柱３ｅの各間に複数のログからなるパネル１２を差込み、壁面を形成するログハウスで使用する建築部材において、
間仕切用のパネル１２ｂとなる各ログ１ｈ、２ｊの切欠溝３ｂに埋込座ナット５ｂを埋設する窪み３ｄを有し、前記窪み３ｄに隣接し外壁用のパネル１２、１２ａとなる各ログ２、２ｉから横通しボルト５を貫通できる貫通孔３ｃを複数設けた柱３と、前記各パネル１２を構成するログ１、２の内部に、前記柱３と横通しボルト５で貫通できるナット締付孔２ｇを設け、前記ナット締付孔２ｇを覆い隠す貼付板２ｋを有したログとからなることを特徴とするログハウス用ログ、柱及びその組立方法の構成とした。
【実施例１】
【００１４】
図１は本発明であるログハウス用ログ、柱及びその組立方法を構成するログ材及び柱の斜視図、図２は本発明であるログハウス用ログ、柱及びその組立方法を構成するログの右側面図である。
【００１５】
図１及び図２に示したように本発明であるログハウス用ログは、ログ２は、複数の柱３、コーナー柱３ｅの各間に複数のログからなるパネル１２を差込み、壁面を形成するログハウスのプレハブ工法で使用する建築部材において、
正面に間仕切用のパネル１２ｂとなる各ログ１ｈ、２ｊのうち前記ログ２ｊの切欠溝３ｂに埋込座ナット５ｂを埋設する窪み３ｄを有し、柱３と前記間仕切面との間に切欠溝３ｂ備え、前記柱３の窪み３ｄに隣接することで前記窪み３ｄと柱３は平面形状が略Ｔ字状を形成し、柱３の中心から左右両側面の外壁用のパネル１２、１２ａとなる各ログ１、２、１ｇ、２ｉのうち、前記ログ２、２ｉから横通しボルト５を貫通できる貫通孔３ｃを複数設けた柱３又はコーナー柱３ｅと、
前記各パネル１２を構成するログ１、２の内部で上下のログに連結する桁９方向から基礎６方向にかけて縦挿通孔１ｅ、２ｅを設け、前記縦挿通孔２ｅに隣接し、前記柱３を介し横通しボルト５を貫通できるナット締付孔２ｇを設け、前記横通しボルト５を緊結した後に前記ナット締付孔２ｇを覆い隠すようログ２、２ｉ及び２ｊの接着面となるサネ溝２ｂの垂直方向にかけて、木工用ボンド等で貼付できる略長方形状の貼付板２ｋと、パネル１２、１２ａ、１２ｂ同士に柱３等を介して互いに強固に連結できるログ２、２ｊとからなることを特徴とするログハウス用ログ、柱及びその組立方法の構成とした。
【００１６】
水平方向に横通しボルト５を挿通するナット締付孔２ｇを設けたログ２と、前記ログ２の上面又は下面に嵌合するログ１を垂直に重ね垂直方向から縦通しボルト４を各々のログに挿通した１組のログ２と、前記ログの側面と嵌合し前記ログ２のナット締付孔２ｇから反対側のログ２のナット締付孔２ｇまで前記横通しボルト５を挿通できる貫通孔３ｃを複数内設した柱３とからなることを特徴とする。
【００１７】
前記柱３は、左右両側面となるログ２の外壁面及び中央のログの間仕切面の３面それぞれに略台形状の凹んだ切欠溝３ｂを設け、前記切欠溝３ｂのうち少なくとも１つに間仕切面となるログ２ｊと柱３との接合面である切欠溝３ｂに埋込座ナット５ｂを埋設できる窪み３ｄを設けている。なお、埋込座ナット５ｂの数及び取り付け位置は、柱３の切欠溝３ｂの面に設ければ限定しない。
【００１８】
コーナー柱３ｅは、ログハウスの四隅を形成するコーナー等で前記ログを固定し、ログの左右端部に接続する柱であり、主に外壁面をＬ字状の２面にを形成し、略台形状の凹んだ切欠溝３ｂを設けていることを特徴とする。
【００１９】
ログハウス用ログ１はＤログ形状を使用している。本発明で使用するログ１は垂直方向に対し、縦通しボルト４を挿通できる縦挿通孔１ｅを設けたことを特徴とする。なお、本発明で使用するログの形状は前記Ｄログに限定せす、角ログ、集成ログ等のようにログハウスに用いるログであればよい。
【００２０】
またログ１は、上面に略凸状の２重のサネ１ａを設け、下面に前記サネ２ａを受けるための凹状態のサネ溝１ｂを設け、左右側面に柱３の切欠溝３ｂに密着するための凸状に突出した差込部１ｆを設けている。
【００２１】
また前記ログ１は、サネ１ａからサネ溝１ｂにかけて半円状で且つ階段状に設けた雨水受１ｄ、水切突起１ｃを設けていることを特徴とする。なお、ログ１ｇ、１ｈは前記ログ１と同様の構造としナット締付孔２ｇを有していない。
【００２２】
ログハウス用ログ２は、貼付板２ｋを貼付けた後の前記ログ１等と断面形状及び外観構造を同一としたＤログ形状で、ログ２は、垂直方向に対し縦通しボルト４を挿通でき、前記ログ１の上面から下面に挿通するように内設した縦挿通孔２ｅと、ログ２で建物の内面となり、前記柱３との接合面となる切欠溝３ｂからの長手方向の距離を５ｃｍから１０ｃｍ、好ましくは６ｃｍとしたナット締付孔２ｇと、前記ナット締付孔２ｇから柱３方向に水平方向に横通しボルト５を通すことができる横挿通孔２ｆ、そして左右側面に柱３の切欠溝３ｂに密着するための差込部２ｈを備え、前記ナット締付孔２ｇ全体を覆い隠すようにログ２、２ｉ及び２ｊの接着面となるサネ溝２ｂの垂直方向にかけて、木工用ボンド等で貼付できる略長方形状の貼付板２ｋとからなることを特徴とする。
【００２３】
なお、ログ２ｉ及び２ｊは同一の構造とし、前記ナット締付孔２ｇは、外観形状が略長方形状で縦×横×奥行の長さが５ｃｍから１５ｃｍの間、好ましくは６ｃｍの縦×横×奥行の長さとする。また、貼付板２ｋは建物の内面を構成するため、ログ１、１ｇ、１ｈの内壁面と同様の模様とし、長手方向がログ長と同じ長さとし、板の厚さを５ｍｍから８ｍｍ、好ましくは６ｍｍとした。
【００２４】
またナット締付孔２ｇを有していないログ１と、ナット締付孔２ｇを有したログ２の積み重ねる方法は、前記ログ１を４段積み重ねた後にログ２を１段毎に積み重ね、再度ログ１を４段積み重ねまたログ２を積み重ねるように、ログ１及びログ２を交互に積み重ねて、各パネル１２、１２ａ、１２ｂ等を工場等で生産することができる。
【００２５】
図１に示したパネル１２、１２ａ、１２ｂの相違点は、前記パネル１２、１２ａは、ログハウスの外壁面を構成すると共に、ログの上面及び下面に水切り加工となる雨水受１ｄ、２ｄ、水切突起１ｃ、２ｃのそれぞれを設けているのに対し、パネル１２ｂは、ログハウスの間仕切面を構成すると共に、ログの上面及び下面に水切り加工である水切突起１ｃ、２ｃを施していないことを特徴とする。
【００２６】
なお、ナット締付孔２ｇに隣接して、前記ログ１の縦挿通孔１ｅから縦通しボルト４を挿通できる縦挿通孔２ｅを設けている。前記縦通しボルト４は、桁（図示せず）の上面から土台７又は基礎８の上面までの高さとなり、前記高さは２４００ｃｍから３０００ｃｍあればよく、前記横通しボルト５は、直径１３φ、６０ｃｍ〜８０ｃｍの長さのものが好ましい。なお、本発明で使用する各縦通しボルト４及び横通しボルト５の長さは上述した長さに限定しない。
【００２７】
本発明の特徴は、左右両壁面を構成する前記ログ１とログ１ｇそして、間仕切壁となるログ２ｊを挟み込む柱３にも特徴がある。柱３は、左右両側面及び内壁面を構成する各面に対し略台形状の凹んだ切欠溝３ｂを設け、ログ２ｉと柱３の接合面に対し埋込座ナット５ｂを埋め込める窪み３ｄを設け、ログ１の左側面と、ログ１ｇの右側面を挿通し、左右両側面から横通しボルト５を挿通できる貫通孔３ｃを設けている。
【００２８】
前記ログ１は、垂直方向に対し縦通しボルト４を縦挿通孔１ｅに挿通し、前記ログ１と上下方向で密着したログ２も同様に、垂直方向に対し前記縦通しボルト４を縦挿通孔２ｅに挿通することで、上下方向にしっかりと緊結することができる。
【００２９】
そして、ログ２に示したように、右壁面を構成するログ２、左壁面を構成するログ２ｉの
中心に柱３を設け、前記ログ２、ログ２ｉで柱３を挟み込むことで、ログ２、２ｉ、そして柱３を挟みこんだ場合でも隙間を無くしたことを特徴とする。
【００３０】
本発明を構成するログ１、１ｇ等及び、柱３、コーナー柱３ｅは、予め防腐処理、防蟻処理を行ったログ１、１ｇ等及び柱３、コーナー柱３ｅとする。具体的には、乾燥させ含水率が１５％から２０％以下のログ等に対し、液体状の防腐剤、防蟻剤を浸漬タンク等を使用して浸漬し、自然乾燥又は機械乾燥することで図１に示したログ１、１ｇ、２、２ｉ、２ｊの表面から内部まで防腐剤、防蟻剤を施す仕組みである。
【００３１】
本発明で使用する前記防腐剤、防蟻剤は、（株）ケミホルツ（登録商標）社製品の木材表面用の溶剤等であるヘキサイド（乳剤）を使用し、主成分は、４−ブロモ−２、５−ジクロロフェノール（ＢＤＣＰ）、１，１，１，２，６、７，７，７−オクタクロロ−４オキサヘブタン（Ｓ−４２１）、３−ブロモ−２，３−時ヨード−２，プロベニル＝エチル＝カルボナート（サンプラス）、外観を淡黄色透明液体とし、色相：ガードーナー、Ｎｏ．１３以下、比重／２５℃：１．１５１±０．０５、引火点：８３℃、動粘度：４１．４ｃｓｔの危険物：第四類第三石油類とからなる。
【００３２】
また前記浸漬処理方法によるログ１、１ｇ、１ｈ、２、２ｉ、２ｊ等及び柱３等の防腐等の加工のみならず、ログ１、１ｇ、１ｈ、２、２ｉ、２ｊ等の表面だけ防腐剤等の塗料を塗布することもできる。よって本発明で使用する前記ログ１、１ｇ、１ｈ、２、２ｉ、２ｊに対し、防腐処理及び防蟻処理を行うことでログの長寿を図ることができる。
【００３３】
なお、本発明で使用する柱３は、正面に切欠溝がない平面３ａ形状の柱とし、前記ログ１、１ｇ、１ｈ、２、２ｉ、２ｊと密着する面に切欠溝３ｂを設けたことを特徴とする。次に図２では、ログ１、ログ２の上部の構造及び、ログの最下部となる土台７の詳細について説明をする。
【００３４】
図２に示したように、右壁面を構成するログ１、ログ２及び間仕切壁面を構成するログ２ｊは、Ｄログ材を使用し、内側となる内壁面に横通しボルト５を取り付け、ナット５ａ止めした後に、屋内側のサネ溝２ｂの外面から垂直方向にかけて貼付板２ｋを木工用ボンド等で貼付けていることを特徴とする。そして、ログ１の上面である外壁部分となる右側面の上部は、外方である外壁面側に３段の階段を構成し、略半月状で勾配角３０°から６０°を有した雨水受１ｄを設けている。
【００３５】
またログ１、ログ２の下部は、ログ１、ログ２の外壁が内方から外方に向かって略平行四辺形状になった雨水をよけるためのガイドとなる水切突起１ｃを設けている。なお、ログ１の底面とログ２の上面の間は凹状態のサネ溝２ｂを設け、前記サネ溝２ｂの底面は、雨水等の浸入を防ぐための節着剤等を塗布するシーリング面１１となっている。なお、ログ１に設けたログ１のサネ溝１ｂの底面も前記サネ溝２ｂと同一のシーリング面１１とする。
【００３６】
前記シーリング面１１には、雨水の浸入を防ぐための市販されているシリコンコーキング材等を使用する。また、シーリング面１１に対し、市販のボンドを使用することにより、ログ同士のズレを完全に無くし、木造建築で用いる筋交い以上の強度があるため、ログ１、ログ２の横揺れを極めて減少することができる。
【００３７】
また柱３、コーナー柱３ｅとの間に設けるログ１、ログ２の積み重ねからなるパネル１２、１２ａを設置する前に、コンクリート等で基礎８を固めると共に、前記縦通しボルト４をナット４ｃ等で螺合することができる切欠孔７ｂと、前記切欠孔７ｂの反対の位置に対し雨水をログ壁の外方向に導くことができ、水切り鉄板等からなるガイド７ａを設けた土台７を有したことを特徴とする。そして前記土台７のガイド７ａに隣接して水切台木６を設けた。
【００３８】
前記水切台木６とは、基礎８の上面に設け、ログ１及びログ２に設けた雨水受１ｄ、２ｄから落下する雨水を受けると共に、基礎８以上に雨水等が浸水してきた場合に前記ログ１及びログ２の防腐を防止するための台木である。水切台木６は、その形状に併せて防水加工等が施されたガイド７ａで覆われている。
【００３９】
また土台７は、土台７の垂直する縦挿通孔１ｅに併せて上から順に、桁（図示せず）から、ログ１、ログ２、土台７、基礎８の順に縦通しボルト４を通すことで一体形成することができる。
【００４０】
図３は本発明であるログハウス用ログの組立方法を構成するログの縦断面図、図４は本発明であるログハウス用ログの組立方法を構成するログと柱の平面図、図５は、本発明であるログハウス用ログの組立方法を構成するログ及び柱の正面図である。
【００４１】
図３に示した本発明を構成するログ１及びログ２の内部は、柱３の切欠溝３ｂの幅に合わせて、内部に縦通しボルト４を挿通するための縦挿通孔１ｅ、２ｅを設けている。前記縦挿通孔１ｅの経に併せて縦通しボルト４の経となるφを決め、前記縦挿通孔１ｅ、２ｅに隙間を生じさせないよう前記コーキング材等で隙間を埋めることができる。次に図４で間仕切面を構成するログ２ｉと、柱３の切欠溝３ｂとの接合について詳細を説明する。
【００４２】
図４に示したように、従来工法である垂直方向にボルト等の連結をしただけではログ同士が高い強度を得ることができなかったが、本発明のように、柱３を介して設けた左右壁面を構成するログ１、ログ１ｇのように、柱３の内部を横通しボルト５で連結し、ナット締付孔２ｇから埋込座ナット５ｂ等で強固に締め付けることで左右壁面を構成するログ１、１ｇに対しても強度を得ることができる。
【００４３】
また、間仕切壁を構成するパネル１２ｂのログ２ｊは、ナット締付孔２ｇから、横通しボルト５を柱３の切欠溝３ｂに埋め込むと共に予め柱３の内部に埋め込んでいた埋込座ナット５ｂで、前記ボルト５を埋込、更に複数の木ネジ等からなるビス５ｃで柱３の内部に固定したことを特徴とする。
【００４４】
よって、本発明は、ログ１、ログ２の短手方向で高さとなる垂直方向に対し、縦通しボルト４を挿通し、複数のログ１、ログ２を固定するため、桁９と土台７との間に固定するのみならず、柱３の中心にある貫通孔３ｃを経て、ログ１、ログ２の長手方向の長さとなる水平方向に対し、横通しボルト５を挿通することでログ１、２の左右方向に対する強度を向上することができる。
【００４５】
また図５に示したように、柱３と柱３との間には、左壁面を構成する複数のログ１ｇ、２ｉを予め積み上げて形成するパネル１２と、同様に右壁面を構成する複数のログ１、２を予め積み上げて形成するパネル１２ａとを差し込み、各パネル１２、１２ａの上部に長方形状の桁９で押さえたものである。また間仕切面も複数のログ１ｈ、２ｊを予め積み上げて形成したパネル１２ｂである。
【００４６】
パネル１２、１２ａ、１２ｂは、桁９の上面から、基礎８に密着し土台７の下部に設けた略長方形状の切欠孔７ｂまで複数の縦通しボルト４を通し、それぞれ緊結すると共に、前記土台７の上から、アンカーボルト１０等でコンクリート等からなる基礎８まで緊結したことを特徴とする。
【００４７】
各パネル１２、１２ａ、１２ｂに通す縦通しボルト４は、１パネル当り、２本から３本、好ましくは、縦通しボルトの経が１Ｍの時２本、２Ｍの時３本のように状況に応じて挿通し、パネル１２、１２ａ、１２ｂの長手方向の１／３、２／３の位置に対し挿通することが好ましい。
【００４８】
横通しボルト５は、各パネルの柱３の挿通するように複数本設けることが好ましく、本発明の場合、ログ１、１ｇを５段毎に重ねる毎にログ２、２ｉを設け、ログ２の数に従って横通しボルト５を設けることが好ましい。
【００４９】
パネル１２、１２ａ、１２ｂは、前記ログ１、１ｇ、１ｈ、２、２ｉ、２ｊを縦方向に対し２５段から３０段、横方向に対し３段から４段の長方形状に形成し、ナット締付孔２ｇ付きのログ２、２ｉ、２ｊが柱３等に密接すると共に前記パネル１２、１２ａ、１２ｂの端部になるように設ける。次に本発明を構成する組立方法について詳細を説明する。
【００５０】
図１から図５に示したように、本発明であるログハウス用ログ、柱及びその組立方法は、
前記横通しボルト５を柱３の横挿通孔２ｆに挿通すると共に、ログ１とログ１ｇ、ログ２ｉ、２ｊと柱３を挟み込むように取り付ける挟み込み工程と、前記ログ２、２ｉの内壁面に設けたナット締付孔２ｇ等から挿通した前記横通しボルト５を出し、ナット５ａ等でしっかり締め付け固定をする締付固定工程と、横通しボルト５の先端に取り付けた埋込座ナット５ｂを柱３の切欠溝３ｂに埋め込む埋込工程とからなることを特徴とするログハウス用ログ、柱及びその組立方法である。
【００５１】
本発明を構成するログハウス用ログ、柱及びその組立方法は、
（Ａ）横通しボルト５を準備し、前記横通しボルト５を柱３の貫通孔３ｃに挿通すると共に、横通しボルト５を挿通した柱３を左右壁面を構成するログ１とログ１ｇ、ログ２とログ２ｉのように挟み込むように取り付ける挟み込み工程と、
（Ｂ）そしてログ２、２ｉの内壁面に設けたナット締付孔２ｇから挿通した前記横通しボルト５を出しナット５ａ等でしっかり締め付けた後に、前記ナット締付孔２ｇで貼付板２ｋを覆い固定をする締付固定工程と、
（Ｃ）左右壁面のみならず、間仕切面に関しても同様に、ログ２ｊの上部に設けた横横挿通孔２ｆから横通しボルト５を通し、横通しボルト５の先端に取り付けた埋込座ナット５ｂを柱３の切欠溝３ｂに埋め込む埋込工程と、
（Ｄ）各ログ１、１ｇ、２、２ｉを垂直方法に積み重ねる際、サネ１ａ、２ａとサネ１ａ、２ａとの間とからなるサネ溝１ｂ、２ｂの底面を構成するシーリング面１１、１１にシリコン又は接着剤を予め塗布するシーリング工程と、
（Ｅ）前記シーリング手段が終了した後に、パネル１２、１２ａとなった所で、縦通しボルト４を通し、桁９の上部からナット４ａで締めつけ固定すると共に、土台７の下部でもナット４ｂで締めつけ、更に前記土台７の上部からアンカーボルト１０をコンクリート等からなる基礎８に打ち込んで、完成するナット緊結工程とからなることを特徴とする。
【００５２】
よって本発明であるログハウス用ログ、柱及びその組立方法は、防腐処理が施された複数のログ等からなるパネルを柱と柱の間に差し込み、前記パネルの水平方向に対し横通しボルト５及び、前記パネル１２、１２ａの垂直方向に対しパネル上面及び下面と接合する桁から土台まで縦通しボルトを挿通し、各々の通しボルトをナット等で締めつけ、更に
前記ログ２、２ｉ等の内壁面に設けたナット締付孔２ｇを貼付板２ｋで接着すればよいため、極めて短時間にかつ、内壁面、外壁面共に外観形状も美しいログハウスを提供することができる。
【図面の簡単な説明】
【００５３】
【図１】本発明であるログハウス用ログ、柱及びその組立方法を構成するログ材及び柱の斜視図である。
【図２】本発明であるログハウス用ログ、柱及びその組立方法を構成するログの右側面図である。
【図３】本発明であるログハウス用ログ、柱及びその組立方法を構成するログの縦断面図である。
【図４】本発明であるログハウス用ログ、柱及びその組立方法を構成するログと柱の平面図である。
【図５】本発明であるログハウス用ログ、柱及びその組立方法を構成するログ及び柱の正面図である。
【符号の説明】
【００５４】
１      ログ
１ａ    サネ
１ｂ    サネ溝
１ｃ    水切突起
１ｄ    雨水受
１ｅ    縦挿通孔
１ｆ    差込部
１ｇ    ログ
２      ログ
２ａ    サネ
２ｂ    サネ溝
２ｃ    水切突起
２ｄ    雨水受
２ｅ    縦挿通孔
２ｆ    横挿通孔
２ｇ    ナット締付孔
２ｈ    差込部
２ｉ    ログ
２ｊ    ログ
２ｋ    貼付板
３      柱
３ａ    平面
３ｂ    切欠溝
３ｃ    貫通孔
３ｄ    窪み
３ｅ    コーナー柱
４      縦通しボルト
４ａ    ナット
４ｂ    ナット
４ｃ    ナット
５      横通しボルト
５ａ    ナット
５ｂ    埋込座ナット
５ｃ    ビス
６      水切台木
７      土台
７ａ    ガイド
７ｂ    切欠孔
８      基礎
９      桁
１０    アンカーボルト
１１    シーリング面
１２    パネル
１２ａ  パネル
１２ｂ  パネル
【図１】
2006132106.tif 000003
【図２】
2006132106.tif 000004
【図３】
2006132106.tif 000005
【図４】
2006132106.tif 000006
【図５】
2006132106.tif 000007